(57)【特許請求の範囲】
【請求項１】
歯列における隣接する複数の歯の歯冠に着脱可能であると共に、前記複数の歯の歯冠に装着した状態で前記複数の歯の噛み合わせ面が露出するよう形成された環状のマウスピースと、
感圧素子を有し前記マウスピースの外側面に取り付けられて前記感圧素子により前記マウスピースの厚さ方向に加わる力を検出するセンサ片部と、
を備え、
前記マウスピースを前記複数の歯の歯冠に装着した状態で、前記感圧素子により、前記歯の表側面と頬の内面との接触圧力又は前記歯の裏側面と舌の側部との接触圧力を検出可能であることを特徴とする口腔内接触圧力測定装置。
【請求項２】
前記歯の表側面と前記頬の内面との接触圧力を検出可能であって、
前記複数の歯には少なくとも第１大臼歯及び第２大臼歯を含み、前記マウスピースを前記複数の歯の歯冠に装着した状態で、前記感圧素子は、前記第１大臼歯又は前記第２大臼歯の表側に対応した位置にあることを特徴とする請求項１記載の口腔内接触圧力測定装置。
【請求項３】
歯列における隣接する複数の歯の歯冠に着脱可能であると共に、前記複数の歯の歯冠に装着した状態で前記複数の歯の噛み合わせ面が露出するよう形成された環状のマウスピースと、
感圧素子を有し前記マウスピースの外側面に取り付けられて前記感圧素子により前記マウスピースの厚さ方向に加わる力を検出するセンサ片部と、
を備え、
前記センサ片部は、
前記マウスピースを前記複数の歯の歯冠に装着した状態で、前記複数の歯の表側と裏側とに対応するように前記外側面に取り付けられると共に、前記感圧素子として、前記複数の歯の表側に対応する第１の感圧素子と裏側に位置する第２の感圧素子とを有して、前記歯の表側面と頬の内面との接触圧力及び前記歯の裏側面と舌の側部との接触圧力を検出することを特徴とする口腔内接触圧力測定装置。
【請求項４】
前記複数の歯には少なくとも第１大臼歯及び第２大臼歯を含み、前記マウスピースを前記複数の歯の歯冠に装着した状態で、前記第１の感圧素子は、前記第１大臼歯又は前記第２大臼歯の表側に対応した位置にあり、前記第２の感圧素子は、前記第１大臼歯又は前記第２大臼歯の裏側に対応した位置にあることを特徴とする請求項３記載の口腔内接触圧力測定装置。
【請求項５】
前記感圧素子は、前記マウスピースを前記複数の歯の歯冠に装着した状態で、前記歯列の歯並び方向に複数配列されていることを特徴とする請求項１〜４のいずれか１項に記載の口腔内接触圧力測定装置。
【請求項６】
前記感圧素子から出力される検出信号を、有線又は無線により外部に送出する信号送出部を備えたことを特徴とする請求項１〜５のいずれか１項に記載の口腔内接触圧力測定装置。
【請求項７】
請求項６記載の口腔内接触圧力測定装置と、
前記信号送出部から送出された前記検出信号を受信する受信部と、
前記受信部で受信した前記検出信号を記憶する記憶部と、
前記記憶部に記憶された前記検出信号の時間変化を視認可能な画像の画像データを生成する信号処理部と、
前記信号処理部で生成された画像データを出力する出力装置と、
を含んで構成されたことを特徴とする口腔内接触圧力測定システム。
【請求項８】
口腔内接触圧力測定装置を用いて口腔内接触圧力を測定する、口腔内接触圧力測定方法であって、
前記口腔内接触圧力測定装置を、
歯列における隣接する複数の歯の歯冠に着脱可能であると共に、前記複数の歯の歯冠に装着した状態で前記複数の歯の噛み合わせ面が露出するよう形成された環状のマウスピースと、
感圧素子を有し前記マウスピースの外側面に取り付けられて前記感圧素子により前記マウスピースの厚さ方向に加わる力を検出するセンサ片部と、
前記感圧素子から出力される検出信号を、有線又は無線により外部に送出する信号送出部と、
を備え、
前記マウスピースを前記複数の歯の歯冠に装着した状態で、前記感圧素子により、前記歯の表側面と頬の内面との接触圧力を検出可能なものとし、
前記マウスピースを被験者における前記複数の歯の歯冠に装着し、
被咀嚼物を所定回数咀嚼する咀嚼運動又は嚥下運動を実行したときの前記検出信号の変化を、前記歯の表側面と前記頬の内壁との接触圧力である頬側方圧の変化として取得することを特徴とする口腔内接触圧力測定方法。
【請求項９】
請求項３を引用する請求項６記載の口腔内接触圧力測定装置を用いて口腔内接触圧力を測定する、口腔内接触圧力測定方法であって、
前記マウスピースを被験者における前記複数の歯の歯冠に装着し、
被咀嚼物を所定回数咀嚼する咀嚼運動又は嚥下運動における、前記第１の感圧素子から出力される第１の検出信号の変化を、歯の表側面と頬の内壁との接触圧力である頬側方圧の変化として取得し、前記第２の感圧素子から出力される第２の検出信号の変化を、歯の裏側面と舌の側部との接触圧力である舌側方圧の変化として取得することを特徴とする口腔内接触圧力測定方法。
【発明の詳細な説明】
【技術分野】
【０００１】
本発明は、口腔内接触圧力測定装置，口腔内接触圧力測定システム，及び口腔内接触圧力測定方法に係る。特に、咀嚼及び嚥下運動時の、舌と歯との接触圧力又は歯と頬との接触圧力を測定する口腔内接触圧力測定装置，口腔内接触圧力測定システム，及び口腔内接触圧力測定方法に関する。
【背景技術】
【０００２】
特許文献１には、口腔周囲筋圧の強さを把握するために、頬圧などを測定可能な口腔用筋圧測定装置が記載されている。
特許文献１に記載された口腔用筋圧測定装置は、力測定装置と、側方歯群用マウスピースと、を備えている。
側方歯群用マウスピースは、力測定装置に接続されたシャフトに連結軸を介して設けられた外側マウスピースと、力測定装置に接続されたマウスピース取り付け金具に連結軸を介して取り付けられた内側マウスピースと、を有する。
そして、外側マウスピース及び内側マウスピースを、被験者の頬と側方歯群との間に配置し、被験者が唇を閉じたときにシャフトに作用する力を、頬筋圧として力測定装置で測定するようになっている。
【先行技術文献】
【特許文献】
【０００３】
【特許文献１】特許第３７９２１５９号公報
【発明の概要】
【発明が解決しようとする課題】
【０００４】
咀嚼及び嚥下機能は、一般に加齢と共に低下することが知られている。この咀嚼及び嚥下の機能低下を評価するには、各個人の咀嚼力及び嚥下力の加齢などによる経時変化を、信頼性の高い評価手法によって追跡把握する必要がある。
そこで、咀嚼力及び嚥下力と、その加齢に伴う経時変化と、を、口腔周囲筋圧値を利用するなどして客観的に把握する手法の検討が研究者によって進められているものの、確立した手法はまだ得られていない。
【０００５】
例えば、特許文献１に記載された口腔用筋圧測定装置で得られた頬筋圧の値を、咀嚼力及び嚥下力の評価値として採用することが考えられる。
しかしながら、その口腔用筋圧測定装置での測定は、マウスピースを口腔内に収めたときの姿勢や位置が、測定の度に変わって安定しにくく、信頼性の高い測定方法とは言いにくい。
また、二つのマウスピースを、頬と側方歯群との間の狭いスペースに配置するため、自然な咀嚼運動を行いにくく、咀嚼力を示す測定値として必ずしも好適とは言えない。
【０００６】
そのため、特許文献１に記載された口腔用筋圧測定装置により得られる頬筋圧値は、咀嚼力及び嚥下力の評価に適した値として採用しにくく、咀嚼力及び嚥下力の評価に適した値を高い信頼性をもって測定できる他の測定装置や測定方法の提案が望まれている。
【０００７】
そこで、本発明が解決しようとする課題は、咀嚼力及び嚥下力の評価に適した測定値を高い信頼性で繰り返して得られる、口腔内接触圧力測定装置，口腔内接触圧力測定システム，及び口腔内接触圧力測定方法を提供することにある。
【課題を解決するための手段】
【０００８】
上記の課題を解決するために、本発明は次の構成又は手順を有する。
１）  歯列における隣接する複数の歯の歯冠に着脱可能であると共に、前記複数の歯の歯冠に装着した状態で前記複数の歯の噛み合わせ面が露出するよう形成された環状のマウスピースと、
感圧素子を有し前記マウスピースの外側面に取り付けられて前記感圧素子により前記マウスピースの厚さ方向に加わる力を検出するセンサ片部と、
を備え、
前記マウスピースを前記複数の歯の歯冠に装着した状態で、前記感圧素子により、前記歯の表側面と頬の内面との接触圧力又は前記歯の裏側面と舌の側部との接触圧力を検出可能であることを特徴とする口腔内接触圧力測定装置である。
２）  前記歯の表側面と前記頬の内面との接触圧力を検出可能であって、
前記複数の歯には少なくとも第１大臼歯及び第２大臼歯を含み、前記マウスピースを前記複数の歯の歯冠に装着した状態で、前記感圧素子は、前記第１大臼歯又は前記第２大臼歯の表側に対応した位置にあることを特徴とする１）に記載の口腔内接触圧力測定装置である。
３） 歯列における隣接する複数の歯の歯冠に着脱可能であると共に、前記複数の歯の歯冠に装着した状態で前記複数の歯の噛み合わせ面が露出するよう形成された環状のマウスピースと、
感圧素子を有し前記マウスピースの外側面に取り付けられて前記感圧素子により前記マウスピースの厚さ方向に加わる力を検出するセンサ片部と、
を備え、
前記センサ片部は、
前記マウスピースを前記複数の歯の歯冠に装着した状態で、前記複数の歯の表側と裏側とに対応するように前記外側面に取り付けられると共に、前記感圧素子として、前記複数の歯の表側に対応する第１の感圧素子と裏側に位置する第２の感圧素子とを有して、前記歯の表側面と頬の内面との接触圧力及び前記歯の裏側面と舌の側部との接触圧力を検出することを特徴とする口腔内接触圧力測定装置である。
４）  前記複数の歯には少なくとも第１大臼歯及び第２大臼歯を含み、前記マウスピースを前記複数の歯の歯冠に装着した状態で、前記第１の感圧素子は、前記第１大臼歯又は前記第２大臼歯の表側に対応した位置にあり、前記第２の感圧素子は、前記第１大臼歯又は前記第２大臼歯の裏側に対応した位置にあることを特徴とする３）に記載の口腔内接触圧力測定装置。
５）  前記感圧素子は、前記マウスピースを前記複数の歯の歯冠に装着した状態で、前記歯列の歯並び方向に複数配列されていることを特徴とする１）〜４）のいずれか一つに記載の口腔内接触圧力測定装置である。
６）  前記感圧素子から出力される検出信号を、有線又は無線により外部に送出する信号送出部を備えたことを特徴とする１）〜５）のいずれか一つに記載の口腔内接触圧力測定装置である。
７） ６）に記載の口腔内接触圧力測定装置と、
前記信号送出部から送出された前記検出信号を受信する受信部と、
前記受信部で受信した前記検出信号を記憶する記憶部と、
前記記憶部に記憶された前記検出信号の時間変化を視認可能な画像の画像データを生成する信号処理部と、
前記信号処理部で生成された画像データを出力する出力装置と、
を含んで構成されたことを特徴とする口腔内接触圧力測定システムである。
８）  口腔内接触圧力測定装置を用いて口腔内接触圧力を測定する、口腔内接触圧力測定方法であって、
前記口腔内接触圧力測定装置を、
歯列における隣接する複数の歯の歯冠に着脱可能であると共に、前記複数の歯の歯冠に装着した状態で前記複数の歯の噛み合わせ面が露出するよう形成された環状のマウスピースと、
感圧素子を有し前記マウスピースの外側面に取り付けられて前記感圧素子により前記マウスピースの厚さ方向に加わる力を検出するセンサ片部と、
前記感圧素子から出力される検出信号を、有線又は無線により外部に送出する信号送出部と、
を備え、
前記マウスピースを前記複数の歯の歯冠に装着した状態で、前記感圧素子により、前記歯の表側面と頬の内面との接触圧力を検出可能なものとし、
前記マウスピースを被験者における前記複数の歯の歯冠に装着し、
被咀嚼物を所定回数咀嚼する咀嚼運動又は嚥下運動を実行したときの前記検出信号の変化を、前記歯の表側面と前記頬の内壁との接触圧力である頬側方圧の変化として取得することを特徴とする口腔内接触圧力測定方法である。
９） ３）を引用する６）に記載の口腔内接触圧力測定装置を用いて口腔内接触圧力を測定する、口腔内接触圧力測定方法であって、
前記マウスピースを被験者における前記複数の歯の歯冠に装着し、
被咀嚼物を所定回数咀嚼する咀嚼運動又は嚥下運動における、前記第１の感圧素子から出力される第１の検出信号の変化を、歯の表側面と頬の内壁との接触圧力である頬側方圧の変化として取得し、前記第２の感圧素子から出力される第２の検出信号の変化を、歯の裏側面と舌の側部との接触圧力である舌側方圧の変化として取得することを特徴とする口腔内接触圧力測定方法である。
【発明の効果】
【０００９】
本発明によれば、咀嚼力及び嚥下力の評価に適した測定値を高い信頼性で繰り返して得られる、という効果を奏する。
【図面の簡単な説明】
【００１０】
【図１】図１は、本発明の実施の形態に係る口腔内接触圧力測定装置の実施例１である測定装置５１を説明するための斜視図である。
【図２】図２は、測定装置５１を説明するための平面図である。
【図３】図３は、測定装置５１を説明するための側面図である。
【図４】図４は、測定装置５１の使用状態を説明するための平面図である。
【図５】図５は、本発明の実施の形態に係る接触圧力測定システムの実施例である測定システム７１，７２を説明するためのブロック図である。
【図６】図６は、測定システム７１で測定した結果を示すグラフである。
【図７】図７は、実施例２の測定装置６１を説明するための平面図である。
【図８】図８は、測定装置６１を説明するための側面図である。
【図９】図９は、測定装置６１の使用状態を説明するための平面図である。
【図１０】図１０は、図９におけるＳＣ１０−ＳＣ１０位置での断面図である。
【図１１】図１１は、測定装置５１のセンサ片部３ａの変形例を説明するための部分断面図である。
【図１２】図１２は、測定装置６１のセンサ片部１３ａの変形例を説明するための斜視図である。
【発明を実施するための形態】
【００１１】
本発明の実施の形態に係る口腔内接触圧力測定装置を、実施例１の測定装置５１及び実施例２の測定装置６１などにより説明する。
【００１２】
（実施例１）
まず、実施例１の測定装置５１の構成について、図１〜図４を参照して説明する。
図１〜図３は、測定装置５１のそれぞれ斜視図，平面図，及び側面図である。図１では、測定装置５１を装着する下顎の歯列ＴＬの一部も併せて示されている。
図４は、測定装置５１の使用状態を説明するための平面図であり、下顎の歯列ＴＬ及び歯列ＴＬの一部に取り付けられた測定装置５１を上方から見た図である。
【００１３】
測定装置５１は、平面視で細長の略帯環状のフレーム部１と、フレーム部１における一対の長手方向外側面の内の一方である外側面１ａに、固定部材２（例えば、両面粘着テープ）を介して取り付けられたセンサ部３と、を有している。
フレーム部１は、図４に示されるように、下顎の歯列ＴＬにおける隣接する複数の歯に対して、位置ずれがなく着脱自在に取り付けられるように形成された樹脂製の帯環状部材である。
隣接する複数の歯は、例えば、左４番〜７番の歯、すなわち、第１小臼歯Ｌ４，第２小臼歯Ｌ５，第１大臼歯Ｌ６，及び第２大臼歯Ｌ７とされる。以下、フレーム部１が装着される隣接する複数の歯である歯群を、装着歯群ＴＧ１とも称する。
【００１４】
フレーム部１は、例えば次の方法で作成される。
まず、装着歯群ＴＧ１の歯型を取り、その歯型から装着歯群ＴＧ１の模型を石膏で作成する。そして、石膏の模型に樹脂シートを被せて吸引し歯頚側を切断することで、装着歯群ＴＧ１の歯冠に被せて装着できる有底のマウスピースを作成する。樹脂シートの材質は、例えばＰＥＴ（ポリエチレンテレフタレート）である。
次に、作成した有底のマウスピースにおける、装着歯群ＴＧ１の先端側に対応する底壁を、加工によって削除して帯環状のマウスピースであるフレーム部１が完成する。この加工方法によれば、フレーム部１の内面は、装着歯群ＴＧ１の歯冠部の外面に対応した形状で形成される。フレーム部１の平均肉厚は、例えば１．０ｍｍとされる。
【００１５】
底壁の削除加工は、フレーム部１を装着歯群ＴＧ１の歯冠に嵌めるように装着したときに、装着歯群ＴＧ１の先端面である噛み合わせ面が露出するように行う。
これにより、図３に二点鎖線で示されるように、装着歯群ＴＧ１と、それに対応する上顎の左４番〜７番の歯群ＴＧａと、の噛み合わせにおいて、装着歯群ＴＧ１は、フレーム部１が装着されていても歯群ＴＧａと直接接触する。
【００１６】
フレーム部１は、装着歯群ＴＧ１に装着された状態で、図３に示されるように、歯肉Ｔａを覆わずに歯肉から露出した歯冠の範囲Ｔｂの一部を覆うようになっている。
【００１７】
一般に、犬歯Ｌ３（図４参照）と第１小臼歯Ｌ４との間には他の歯間よりも広い隙間があるので、フレーム部１は、短手方向の側壁１ｄがその隙間に嵌め込み可能に形成され、装着歯群ＴＧ１に対して繰り返し装着させることができる。
【００１８】
センサ部３は、細長い薄板状のセンサ片部３ａと、センサ片部３ａの長手方向の一端側に接続され厚さと幅が拡大した基部３ｂと、基部３ｂにおけるセンサ片部３ａとは反対側の端部から引き出されたケーブル３ｃと、を有している。
センサ片部３ａは、例えば、幅Ｗ３（図３）が約４ｍｍで、長さＬｅは２０ｍｍ以上とされる。
センサ部３として、例えば、Pressure Profile Systems社製のセンサ＃5601を使用できる。
【００１９】
センサ片部３ａは、図３に示されるように、その長手方向に配列された複数の感圧素子Ｓを有している。この例において、センサ片部３ａには、１２個の感圧素子Ｓ１〜Ｓ１２がほぼ等間隔でアレイ状に設けられている。この配列方向は、フレーム部１を装着歯群ＴＧ１に装着した状態での歯列の歯並び方向である。
基部３ｂには、感圧素子Ｓ１〜Ｓ１２を駆動する駆動部３ｂ１が基板に搭載されて収められている。
【００２０】
感圧素子Ｓ１〜Ｓ１２は、センサ片部３ａに対して厚さ方向に加わる圧力を互いに独立して検出し、それぞれ検出信号Ｓｇ１〜Ｓｇ１２を駆動部３ｂ１に向け出力する。以下、検出信号Ｓｇ１〜Ｓｇ１２をまとめて検出信号Ｓ５１（図５参照）とする。
駆動部３ａ１は、検出信号Ｓ５１を、ケーブル３ｃを介して外部に送出する。
詳しくは、駆動部３ｂ１は、感圧素子Ｓ１〜Ｓ１２を駆動させると共に感圧素子Ｓ１〜Ｓ１２からの検出信号Ｓｇ１〜Ｓｇ１２を、ケーブル３ｃを介して検出信号Ｓ５１として外部に出力する。
すなわち、駆動部３ａ１とケーブル３ｃは、検出信号Ｓ５１を外部に送出する信号送出部３ｄとして機能する。
ケーブル３ｃは、駆動部３ａ１への外部からの電源供給にも用いられる。もちろん基部３ｂに電源を備えていてもよい。
【００２１】
測定装置５１は、センサ部３の先端を第２大臼歯Ｌ７の奥側端部に揃えて装着歯群ＴＧ１に固定部材２を介して取り付けた状態で、先端側の感圧素子Ｓ１〜Ｓ６が第２大臼歯の表側に対応した位置にあり、感圧素子Ｓ７〜Ｓ１２が、第１大臼歯の表側に対応する位置にある。
【００２２】
センサ片部３ａの幅Ｗ３は、フレーム部１の高さＨ１よりも小さく、センサ片部３ａは、フレーム部１の側面において、高さＨ１のほぼ中央部分に取り付けられる。
これにより、フレーム部１を装着歯群ＴＧに取り付けたときに、センサ片部３ａが、装着歯群ＴＧの各歯の上端から上方に突出することがなく、装着歯群ＴＧ１との噛み合わせに影響を与えない。
【００２３】
センサ片部３ａは、可撓性を有する例えば金属製の薄板であって、手によって厚さ方向に湾曲させることができる。そして、その湾曲させた姿勢で維持できるようになっている。
固定部材２は、例えば両面粘着テープや接着剤である。
フレーム部１の長手方向に沿う外側面１ａは、装着歯群ＴＧの四本の歯における頬側の側面に沿い、通常、全体として緩やかに湾曲して形成される。センサ片部３ａをその湾曲に沿うように曲げることで、固定部材２を介して良好に装着することができる。
【００２４】
上述の測定装置５１は下顎の左側の歯列に対応するものである。この測定装置５１と共に、下顎の右側の歯列に対応する測定装置５２を作成する。
具体的には、図４及び図５に示されるように、下顎の右側の歯列における４番〜７番の歯、すなわち、第１小臼歯Ｒ４，第２小臼歯Ｒ５，第１大臼歯Ｒ６，及び第２大臼歯Ｒ７（以下、装着歯群ＴＧ２とも称する）に対して着脱自在な測定装置５２を、測定装置５１と同様の方法で装着歯群ＴＧ２の歯型を取って作成する。
【００２５】
また、上顎の左４番〜７番の歯群ＴＧａを装着歯群ＴＧ３として測定装置５１と同様の方法で測定装置５３（図５参照）を作成し、上顎の右４番〜７番を装着歯群ＴＧ４として、測定装置５４（図５参照）を作成する。
図５に示されるように、測定装置５２〜５４は、測定装置５１と同様にそれぞれ検出信号Ｓ５２〜Ｓ５４を出力する。検出信号Ｓ５２〜Ｓ５４は、それぞれ検出信号Ｓ５１と同様に、独立した１２種の検出信号が含まれている。
【００２６】
図１０の「Ａ」部は、図４におけるＳＣ１０Ａ−ＳＣ１０Ａ位置での断面図である。例えば測定装置５１を被験者の装着歯群ＴＧ１に取り付けた状態で被験者が咀嚼運動をすると、咀嚼運動で接触する装着歯群ＴＧ１と左頬の内壁Ｂａ（図４も参照）との接触圧力が測定できる。
詳しくは、図３からも明らかなように、感圧素子Ｓ１〜Ｓ６により第２大臼歯と左頬の内壁Ｂａとの接触圧力が測定され、感圧素子Ｓ７〜Ｓ１２により第１大臼歯と左頬の内壁Ｂａとの接触圧力が測定される。
【００２７】
上顎の左歯列に用いられる測定装置５３についても同様に、装着歯群ＴＧ３と左頬の内壁Ｂａとの接触圧力が測定される。また、測定装置５２，５４についても同様に、それぞれが装着された装着歯群ＴＧ２，ＴＧ４と右頬の内壁Ｂｂとの接触圧力が測定される（図４参照）。
【００２８】
ここでは、装着歯群ＴＧ１，ＴＧ３及び装着歯群ＴＧ２，ＴＧ４と、左頬の内壁Ｂａ及び右頬の内壁Ｂｂと、の接触圧力を、それぞれ頬側方圧ＰＢ１，ＰＢ３及び頬側方圧ＰＢ２，ＰＢ４と称する。
【００２９】
以上詳述した測定装置５１〜５４の少なくとも一つを含んで、測定システム７１が構成される。
図５は、本発明の実施の形態に係る口腔内の接触圧力測定システムの実施例である測定システム７１を説明するためのブロック図である。
【００３０】
測定システム７１は、信号処理ブロック８１と、測定ブロック８２と、が組み合わされて構成される。
測定ブロック８２は、測定装置５１〜５４の少なくとも一つを含む。図５に示された例は測定装置５１〜５４のすべてを含む）。
信号処理ブロック８１は、例えば測定装置５１〜５４から出力された検出信号Ｓ５１〜Ｓ５４を受信してコンピュータ７１ｂで受け入れ可能な形式の信号に変換するインタフェース７１ａと、インタフェース７１ａから出力された信号Ｓ７１を受信する受信部７１ｂ１を備えたコンピュータ７１ｂと、を含んで構成される。
【００３１】
コンピュータ７１ｂは、測定システム７１の動作を制御するＣＰＵ７１ｂ２と、受信部７１ｂ１で受信した検出信号Ｓ５１〜Ｓ５４を記憶する記憶部７１ｂ３を備えている。
また、コンピュータ７１ｂには、検出信号Ｓ５１〜Ｓ５４に基づいて種々のデータ処理を実行させるためのソフトウエア７１ｃがインストールされる。すなわち、ＣＰＵ７１ｂ２は、このソフトウエア７１ｃによってデータ処理を行うデータ処理部７１ｂ４としても機能する。
また、コンピュータ７１ｂには、入力装置７１ｄ，出力装置としての画像表示装置７１ｅ，印刷装置７１ｆなどが接続される。
ＣＰＵ７１ｂ２は、ソフトウエア７１ｃのプログラムに基づいて、記憶部７１ｂ３に記憶された検出信号Ｓ５１〜Ｓ５４を読み出す。また、データ処理部７１ｂ４として、検出信号Ｓ５１〜Ｓ５４の時間変化を視認可能とする画像の画像データを生成する。
生成した画像データは、画像表示装置７１ｅ又は印刷装置７１ｆなどの出力装置に送られ、画像として出力される。
【００３２】
次に、測定装置５１〜５４を含む測定システム７１を用い、被験者の咀嚼及び嚥下（口腔期）における頬側方圧ＰＢ１〜ＰＢ４を測定し、視認可能な画像として得た例を説明する。ここでは、代表として頬側方圧ＰＢ１について説明する。
測定では、被験者が、装着歯群ＴＧ１〜ＴＧ４に、それぞれ測定装置５１〜５４を装着した状態で、被咀嚼物としてのグミを左右いずれかの歯列で所定回数（例えば２０回）咀嚼した後、嚥下する、という一連の動作を行う。そして、この一連の動作における検出信号Ｓ５１〜Ｓ５２を取得して記憶する。
測定装置５１〜５４から延び出る４本のケーブル３ｃは、口から外部に引き出されてインタフェース７１ａに接続される。
得られた測定値例として、グミを左側の歯列で２０回咀嚼して嚥下する運動において、測定装置５１から出力された検出信号Ｓ５１に基づく頬側方圧ＰＢ１の時間変化を図６に示す。時間変化の分解能に相当するスキャンレートは、１００Ｈｚである。
【００３３】
図６は、横軸が時間ｔであり、縦軸が、コンピュータ７１ｂにより検出信号Ｓ５１の電圧を換算して得られた最大圧力（ｋＰａ）である。
詳しくは、測定装置５１からの検出信号Ｓ５１に含まれる検出信号Ｓｇ１〜Ｓｇ１２における、１００Ｈｚのスキャンタイミング毎の最大値を示している。
【００３４】
図６に示されるように、咀嚼に対応し、短い時間のパルス的圧力上昇が明確に確認できる。また、嚥下運動に対応して、連続的な圧力上昇が明確に確認できる。
図６に示される圧力の時間変化は、既述のように、装着歯群ＴＧ１である下顎左４番〜７番の歯の表側となる頬側の外側面と、左頬の内壁Ｂａと、の間の接触圧の時間変化である。
【００３５】
ソフトウエア７１ｃは、図６に示される最大値以外に、例えば、平均値、最小値、積分値などの種々の値で測定結果を視覚化して出力できるものとして作成される。
また、ソフトウエア１ｃには、測定装置５１〜５４から得られた頬側方圧ＰＢ１〜ＰＢ４の相互比較、感圧素子Ｓ１〜Ｓ１２の相互比較、過去の履歴データとの比較等、種々の演算処理を行う処理機能を持たせるとよい。これにより、得られた頬側方圧ＰＢ１〜ＰＢ４の絶対評価或いは相対評価、また、被験者間の比較、加齢などによる経時変化の把握、が可能となる。
【００３６】
このように、測定装置５１を用いることで、咀嚼運動及び嚥下運動に対応する接触圧力が、時間及び歯の並び方向という少なくとも二つの評価項目において高分解能で検出できる。
これにより、測定装置５１で得られた頬側方圧ＰＢ１は、咀嚼力及び嚥下力を評価する値として好適である。
これは、測定装置５２〜５４及びそれらで得られた頬側方圧ＰＢ２〜ＰＢ４においても同様である。
【００３７】
また、例えば、測定装置５１のフレーム部１は、装着歯群ＴＧ１を型取りして得た模型に基づいて着脱可能に作成されている。
これにより、測定装置５１の姿勢や位置が測定の度にずれることはなく、測定毎に同じ姿勢及び位置での測定が可能である。
そのため、時期を隔て繰り返し測定した場合でも、各測定値同士の比較に十分足りる信頼性の高い測定値が得られ、咀嚼力及び嚥下力の加齢などによる経時変化の把握が良好に行える。
これは測定装置５２〜５４においても同様である。
【００３８】
また、測定装置５１のフレーム部１は、略帯環状に形成され、フレーム部１を装着歯群ＴＧ１に装着した状態で、上顎の歯とかみ合わされる面が露出している。これにより、測定装置５１の装着が咀嚼運動に影響を与えることはなく、本来の咀嚼運動での頬側方圧ＰＢ１を得ることができる。
そのため、測定装置５１を用い測定システム７１で測定することで、頬側方圧ＰＢ１を、本来の咀嚼力の評価に好適な測定値として得ることができる。
測定装置５２〜５４それぞれを用いた場合も、また、測定装置５１〜５４の中から二つ以上のものを組み合わせて用いた場合も、同様の効果が得られる。
【００３９】
（実施例２）
次に、本発明の実施の形態に係る口腔内接触圧力装置の実施例２の測定装置６１を、図７〜図１０を参照して説明する。
図７は、測定装置６１の平面図であり、測定装置５１を示した図２に対応する図である。図８は、測定装置６１の側面図である。図９は、測定装置６１の使用状態を説明するための平面図であり、下顎の歯列ＴＬ及び歯列ＴＬの一部に取り付けられた測定装置６１を上方から見た図である。図１０は、図９におけるＳＣ１０−ＳＣ１０位置での断面図である。
【００４０】
測定装置６１は、図７に示されるように、平面視で細長の帯環状のフレーム部１１と、フレーム部１１の長手方向に延びる一対の外側面１１ａ，１１ｃと、一対の外側面１１ａ，１１ｃを繋ぐ短手方向の外側面１１ｂと、に跨るように、固定部材１２(例えば、両面粘着テープ)を介して取り付けられたセンサ部１３と、を有している。
フレーム部１１は、測定装置５１のフレーム部１と同様に形成される部材であり、装着歯群ＴＧ１の外形に対し着脱自在にずれることなく取り付けられるように形成された樹脂製の環状部材である。図９に示されるように、外側面１１ｂは、第２大臼歯の奥側の側面に対応する。
【００４１】
センサ部１３は、細長い薄板状のセンサ片部１３ａと、センサ片部１３ａの一端側に接続され厚さと幅が拡大した基部１３ｂと、基部１３ｂにおけるセンサ片部１３ａとは反対側の端部から引き出されたケーブル１３ｃと、を有している。
【００４２】
センサ部１３は、測定装置５１のセンサ部３に対してセンサ片部３ａが異なるものである。
具体的には、センサ片部１３ａは、センサ片部３ａよりも長く、長手方向に離隔した感圧素子群Ｕ１Ａと感圧素子群Ｕ１Ｂとを備えている。
詳しくは、センサ片部１３ａが取り付けられたフレーム部１１を装着歯群ＴＧ１に装着した際に、感圧素子群Ｕ１Ａは、フレーム部１１の外側面１１ａに対応した位置に、感圧素子群Ｕ１Ｂは、外側面１１ｃに対応した位置にあるように設けられる。
さらに詳しくは、感圧素子群Ｕ１Ａは、第１大臼歯Ｌ６及び第２大臼歯Ｌ７の頬側（表側）の側面に対応する位置に設けられ、感圧素子群Ｕ１Ｂは、第１大臼歯Ｌ６及び第２大臼歯Ｌ７の舌側（裏側）の側面に対応する位置に設けられる。
【００４３】
感圧素子群Ｕ１Ａ，Ｕ１Ｂは、それぞれ長手方向に配列された複数の感圧素子Ｓをアレイ状に有する。この例では、それぞれに１２個の感圧素子Ｓが並設されている。
すなわち、感圧素子群Ｕ１Ａは、感圧素子Ｓ２１〜Ｓ３２を有し、感圧素子群Ｕ１Ｂは、感圧素子Ｓ４１〜Ｓ５２を有する。
感圧素子Ｓ２１〜Ｓ３２及び感圧素子Ｓ４１〜Ｓ５２は、センサ片部１３ａに対して厚さ方向に加わる圧力を互いに独立して検出し、それぞれ検出信号Ｓｇ４２１〜Ｓｇ３２及び検出信号Ｓｇ４１〜Ｓｇ５２を駆動部１３ｂ１に向け出力する。
すなわち、感圧素子群Ｕ１Ａ，Ｕ１Ｂからは、それぞれにおいて、各感圧素子Ｓから独立して出力された１２種の検出信号を含む検出信号Ｕ１Ａｓ，Ｕ１Ｂｓが出力される（図５参照）。
従って、測定装置６１から出力される検出信号Ｕ１Ａｓは、下顎左側の装着歯群ＴＧ１の表側面と、左頬の内壁Ｂａと、の接触圧力である頬側方圧ＰＢ１に対応し、検出信号Ｕ１Ｂｓは、装着歯群ＴＧ１の裏側面と、舌Ｃの左側部Ｃａと、の接触圧力である舌側方圧ＰＣ１を示す。
駆動部１３ｂ１は、検出信号Ｕ１Ａｓ，Ｕ１Ｂｓを、ケーブル１３ｃを介して外部に送出する。すなわち、駆動部１３ｂ１とケーブル１３ｃは、検出信号Ｕ１Ａｓ，Ｕ１Ｂｓを外部に送出する信号送出部１３ｄとして機能する。
【００４４】
同様に、測定装置６１と同様形状の測定装置６２〜６４を、それぞれ装着歯群ＴＧ２〜ＴＧ４に対応して作成する。
測定装置６２〜６４は、測定装置６１と同様にそれぞれ感圧素子群Ｕ２Ａ，Ｕ２Ｂ〜感圧素子群Ｕ４Ａ，Ｕ４Ｂを有して検出信号Ｕ２Ａｓ，Ｕ２Ｂｓ〜検出信号Ｕ４Ａｓ，Ｕ４Ｂｓを出力する。
【００４５】
測定装置６２を装着歯群ＴＧ２に装着した状態で得られる検出信号Ｕ２Ａｓは、下顎右側の装着歯群ＴＧ２の表側面と、右頬の内壁Ｂｂと、の接触圧力である頬側方圧ＰＢ２を示し、検出信号Ｕ２Ｂｓは、装着歯群ＴＧ２の裏側面と、舌Ｃの右側部Ｃｂと、の接触圧力である舌側方圧ＰＣ２を示す。
測定装置６３を装着歯群ＴＧ３に装着した状態で得られる検出信号Ｕ３Ａｓは、上顎左側の装着歯群ＴＧ３の表側面と、左頬の内壁Ｂａと、の接触圧力である頬側方圧ＰＢ３を示し、検出信号Ｕ３Ｂｓは、装着歯群ＴＧ３の裏側面と、舌Ｃの左側部Ｃａと、の接触圧力である舌側方圧ＰＣ３を示す。
測定装置６４を装着歯群ＴＧ４に装着した状態で得られる検出信号Ｕ４Ａｓは、上顎右側の装着歯群ＴＧ４の表側面と、右頬の内壁Ｂｂと、の接触圧力である頬側方圧ＰＢ４を示し、検出信号Ｕ４Ｂｓは、装着歯群ＴＧ４の裏側面と、舌Ｃの右側部Ｃｂと、の接触圧力である舌側方圧ＰＣ４を示す。
【００４６】
測定装置６１〜６４から出力された検出信号Ｕ１Ａｓ，Ｕ１Ｂｓ〜検出信号Ｕ４Ａｓ，Ｕ４Ｂｓは、それぞれ１２個の感圧素子Ｓからの独立した１２種の検出信号が含まれている。すなわち、測定装置６１〜６４のそれぞれから、独立した２４種の検出信号が送出される。
【００４７】
上述の測定装置６１〜６４の少なくとも一つを含んで、測定システム７２が構成される。
図５において、測定システム７２は、既述の信号処理ブロック８１と、測定ブロック８３との組み合わせで構成される。
測定ブロック８３は、測定装置６１〜６４の少なくとも一つを含む。
【００４８】
例えば測定装置６１を被験者の装着歯群ＴＧ１に取り付けた状態で被験者が咀嚼運動をすると、咀嚼運動で接触する装着歯群ＴＧ１の表側面と左頬の内壁Ｂａとの接触圧力である頬側方圧ＰＢ１と、装着歯群ＴＧ１の裏側面と舌Ｃの左側部Ｃａとの接触圧力である舌左側方圧ＰＣ１と、の両方が同時に測定できる。
詳しくは、感圧素子群Ｕ１では、感圧素子Ｓ２１〜Ｓ２６により第２大臼歯の表側面と左頬の内壁Ｂａとの接触圧力が測定され、感圧素子Ｓ２７〜Ｓ３２により第１大臼歯の表側面と左頬の内壁Ｂａとの接触圧力が測定される。
また、感圧素子群Ｕ２では、感圧素子Ｓ４１〜Ｓ４６により第２大臼歯の裏側面と舌の左側部Ｃａとの接触圧力が測定され、感圧素子Ｓ４７〜Ｓ５２により第１大臼歯の裏側面と左側部Ｃａとの接触圧力が測定される。
【００４９】
測定装置６３についても同様に、装着歯群ＴＧ３の表側面と、左頬の内壁Ｂａと、の接触圧力である頬側方圧ＰＢ３と、装着歯群ＴＧ３の裏側面と、舌の左側部Ｃａと、の接触圧力である舌側方圧ＰＣ３と、の両方を測定できる。
また、測定装置６２，６４についても同様に、装着歯群ＴＧ２，ＴＧ４の表側面と、右頬の内壁Ｂｂと、の接触圧力である頬側方圧ＰＢ２，ＰＢ４と、装着歯群ＴＧ２，ＴＧ４の裏側面と、舌の右側部Ｃｂと、の接触圧力である舌側方圧ＰＣ４と、の両方を測定できる。
【００５０】
測定システム７２は、測定装置６１〜６４から出力された検出信号Ｕ１Ａｓ，Ｕ１Ｂｓ〜検出信号Ｕ４Ａｓ，Ｕ４Ｂｓを取得し、記憶部７１ｂ３に記憶する。記憶した検出信号Ｕ１Ａｓ，Ｕ１Ｂｓ〜検出信号Ｕ４Ａｓ，Ｕ４Ｂｓに対し、検出信号Ｓ５１〜検出信号Ｓ５４の場合と同様に、信号処理ブロック８１のコンピュータ７１ｂ上でソフトウエア７１ｃによる種々の処理を実行できる。
すなわち、データ処理部７１ｂ４は、検出信号Ｕ１Ａｓ，Ｕ１Ｂｓ〜検出信号Ｕ４Ａｓ，Ｕ４Ｂｓの時間変化を視認可能な画像の画像データを生成する。
生成した画像データは、画像表示装置７１ｅ又は印刷装置７１ｆなどの出力装置に送られ、画像として出力される。
【００５１】
測定システム７２は、咀嚼及び嚥下運動における、頬の内壁と歯列の表側面との間の接触圧に加えて、歯列の裏側面と舌の側部との間の接触圧を同時に測定することができる。
これにより、咀嚼力及び嚥下力をより詳細に把握することができる。また、測定装置６１〜６４は、測定毎に姿勢や位置が変わることなく安定的に装着できるので、咀嚼力の加齢などに伴う変化を高い信頼性の測定値で追跡評価することができる。
【００５２】
このように、例えば、測定装置６１を用いることで、咀嚼運動及び嚥下運動に対応する短時間の圧力変化が、頬側と舌側との両方について、時間的及び歯の並び方向において高分解能で検出できる。
これにより、測定装置６１で得られた頬側方圧ＰＢ１は、咀嚼力及び嚥下力を評価する値として好適である。
これは、測定装置６２〜６４とそれらで得られた頬側方圧ＰＢ２〜ＰＢ４においても同様である。
【００５３】
また、測定装置６１のフレーム部１１は、装着歯群ＴＧ１を型取りして得た模型に基づいて着脱可能に作成されている。
これにより、測定装置６１の姿勢や位置が測定の度にずれることはなく、測定毎に同じ姿勢及び位置での測定が可能である。
そのため、時期を隔て繰り返し測定した場合でも、各測定値同士の比較に十分足りる信頼度の高い測定値が得られ、咀嚼力及び嚥下力の加齢などによる経時変化の把握が良好に行える。
これは、測定装置６２〜６４においても同様である。
【００５４】
また、測定装置６１のフレーム部１１は、略帯環状に形成され、フレーム部１１を装着歯群ＴＧ１に装着した状態で、上顎の歯とかみ合わされる面が露出している。これにより、測定装置６１の装着が咀嚼運動に影響を与えることはなく、本来の咀嚼運動での頬側方圧ＰＢ１を得ることができる。
そのため、測定装置６１を用い測定システム７２で測定することで、頬側方圧ＰＢ１を、本来の咀嚼力の評価に好適な測定値として得ることができる。
測定装置６２〜６４それぞれを用いた場合も、また、測定装置６１〜６４の中から二つ以上のものを組み合わせて用いた場合も、同様の効果が得られる。
【００５５】
測定装置６１〜６４によれば、上下の歯列の内側部位と舌との接触圧を測定でき、その接触圧の出力信号は、センサ片部１３ａによって歯列の奥側を回り外側に沿って伝達され、ケーブル１３ｃによって口から外部に引き出される。
すなわち、出力信号の経路は歯列を跨がずに外部に至るものとなっている。
これにより、測定装置６１〜６４によって、咀嚼動作にほとんど影響を与えることなく歯列の内側部位と舌との接触圧を測ることができ、咀嚼力の評価として高い精度の測定値が得られる。
【００５６】
本発明の実施例は、上述した手順及び構成に限定されるものではなく、本発明の要旨を逸脱しない範囲において変形例としてもよい。
【００５７】
測定装置５１〜５４，６１〜６４は、個人の歯型に適合したものであり繰り返して使用可能であることが求められる。特に、センサ片部３ａ，１３ａは口腔内にて使用されるものであるから各使用の前に洗浄消毒するなどの処理をすることが望まれる。
そのため、図１１に変形例として部分断面図が示されるように、感圧素子Ｓが水や消毒薬の影響を受けないように保護する樹脂層４を、センサ片部３ａの表面を覆うように設けてもよい。センサ片部１３ａについても同様である。
図１１は、センサ片部３ａに固定部材２としての両面粘着テープを取り付けた状態のセンサ部３を示す部分断面図である。
【００５８】
樹脂層４は、例えば、センサ片部３ａ，１３ａの表面にコーティングする、或いは樹脂シートを袋状に形成してセンサ片部３ａ，１３ａに被せるなどして形成する。測定装置５２〜５４のセンサ片部３ａ及び測定装置６２〜６４のセンサ片部１３ａについても同様である。
【００５９】
センサ片部３ａに並設されている複数の感圧素子Ｓは、上述のように第１大臼歯及び第２大臼歯に対応する範囲に設けられているものに限定されない。
図３に示される取り付け状態で、第１小臼歯から第２大臼歯までの範囲に対応するように、複数の感圧素子Ｓがアレイ状に並設されていてもよい。
センサ片部１３ａについては、二つの感圧素子群Ｕ１，Ｕ２が形成されている例を説明したが、これに限定されない。複数の感圧素子Ｓがセンサ片部１３ａの長手方向全体に亘って並設されていてもよい。
いずれの場合も、ソフトウエア７１ｃを、複数の感圧素子Ｓからの検出信号の中から、測定対象とする歯（例えば、第１及び第２大臼歯）に対応した感圧素子Ｓからの検出信号を選択して採用する、などの処理を自由に行うことができるものとして作成しておけばよい。
【００６０】
センサ片部１３ａは、一つの長尺部分で形成されたものに限らず、図１２に示されるように、ケーブル１３ｃ１で連結された二つのセンサ片部ユニット１３ａ１，１３ａ２を有するセンサ片部１３ａであってもよい。
このセンサ片部ユニット１３ａ１，１３ａ２を有するセンサ片部１３ａを備えた測定装置６１Ａでは、基部１３ｂに近い側のセンサ片部１３ａ１に、頬側方圧ＰＢ１を測定する感圧素子群Ｕ１Ａが設けられ、遠い側のセンサ片部１３ａ２に、舌側方圧ＰＣ１を測定する感圧素子群Ｕ１Ｂが設けられている。
測定装置６１Ａは、センサ片部１３ａ１とセンサ片部１３ａ２とが自由に屈曲できるケーブル１３ｃ１で連結されているので、フレーム部１１へ装着し易く、被験者が感じる装着感も低減される。
【００６１】
装着歯群ＴＧ１〜ＴＧ４は、歯列における４〜７番の歯に限定されない。繰り返し装着可能なマウスピースを作成し易い一つ又は複数の歯を選択してよい。
信号送出部３ｄ，１３ｄは、有線のケーブル３ｃ，１３ｃを用いるものに限らず、基部３ｂ，１３ｂに電源を備え、無線で外部の受信機に検出信号を出力するものであってもよい。無線を用いると、口からケーブルが３ｃ，１３ｃが引き出されないのでより自然な状態で咀嚼及び嚥下の運動ができるので好ましい。
【００６２】
以上詳述した実施例１，２及びそれらの変形例において、測定装置５１，６１，６１Ａなどには、センサエレメントとしての感圧素子Ｓが一方向に複数配列されており、測定時にこの配列方向が歯列方向となる。
これにより、特定の被験者での、頬側方圧や舌側方圧の分布やレベルを把握できるにとどまらず、それらの被験者間の違いを良好に把握することができる。
詳しくは、頬側方圧及び舌側方圧については、圧力分布と圧力レベルの被験者間の違いが顕著である。
これは、被験者ごとに、頬筋及び舌を含む口腔周囲筋の形状や位置が異なり、さらには咀嚼動作及び嚥下動作に癖があることによる。
測定装置５１，６１，６１Ａなどを用いた測定によって、被験者ごとの違いが明確に把握できるので、例えば、咀嚼力や嚥下力が低下した被験者に対する改善のためのトレーニングや治療の方法を、被験者それぞれに適したプログラムで提供することが可能となる。また、そのトレーニングや治療の結果を、被験者ごとに最適な方法で評価しフィードバックすることができる。
【符号の説明】
【００６３】
１，１１  フレーム部（マウスピース）
１ａ，１ｄ，１１ａ，１１ｂ，１１ｃ  外側面
２，１２  固定部
３，１３  センサ部
３ａ，１３ａ  センサ片部、    ３ｂ，１３ｂ  基部
３ｂ１，１３ｂ１  駆動部、    ３ｃ，１３ｃ，１３ｃ１  ケーブル
３ｄ，１３ｄ  信号送出部
４  樹脂層
５１〜５４，６１〜６４，６１Ａ  測定装置
７１，７２  測定システム
７１ａ  インタフェース、    ７１ｂ  コンピュータ、    ７１ｂ１  受信部
７１ｂ２  ＣＰＵ、    ７１ｂ３  記憶部、    ７１ｂ４  データ処理部
７１ｃ  ソフトウエア、    ７１ｄ  入力装置、    ７１ｅ  画像表示装置
７１ｆ  印刷装置
８１  信号処理ブロック、    ８２，８３  測定ブロック
Ｂａ  （左頬の）内壁、    Ｂｂ  （右頬の）内壁
Ｃ  舌、    Ｃａ  （舌の）左側部、    Ｃｂ  （舌の）右側部
Ｌｅ  長さ、    Ｌ４，Ｒ４  第１小臼歯、    Ｌ５，Ｒ５  第２小臼歯
Ｌ６，Ｒ６  第１大臼歯、    Ｌ７，Ｒ７  第２大臼歯
ＰＢ  頬側方圧、    ＰＢ１〜ＰＢ４  頬側方圧
ＰＣ１〜ＰＣ４  舌側方圧
Ｓ，Ｓ１〜Ｓ１２，Ｓ２１〜Ｓ３２，Ｓ４１〜Ｓ５２  感圧素子
Ｓｇ１〜Ｓｇ１２，Ｓ５１〜Ｓ５４  検出信号、    Ｓ７１  信号
Ｔａ  歯肉、    Ｔｂ  （歯冠の）範囲、    ＴＧ１〜ＴＧ４  装着歯群
ＴＬ  （下顎の）歯列
Ｕ１Ａ，Ｕ１Ｂ〜Ｕ４Ａ，Ｕ４Ｂ  感圧素子群
Ｕ１Ａｓ，Ｕ１Ｂｓ〜Ｕ４Ａｓ，Ｕ４Ｂｓ  検出信号
Ｗ３  幅
【図１】
0006549894.tif 000002
【図２】
0006549894.tif 000003
【図３】
0006549894.tif 000004
【図４】
0006549894.tif 000005
【図５】
0006549894.tif 000006
【図６】
0006549894.tif 000007
【図７】
0006549894.tif 000008
【図８】
0006549894.tif 000009
【図９】
0006549894.tif 000010
【図１０】
0006549894.tif 000011
【図１１】
0006549894.tif 000012
【図１２】
0006549894.tif 000013